(57)【要約】【課題】映像機器用のスピーカシステムにおいて、プラズマテレビや液晶テレビ等の薄型の映像機器に搭載できる薄型のスピーカシステムの開発が課題であった。【解決手段】前面パネルと、背面パネルとにより構成されたエンクロージャと、このエンクロージャに２個以上連ねて配置して取付けられたスピーカと、これらのスピーカを結線するための配線手段とから構成し、２個以上のスピーカを直線状に連ねて配置させるとともに、背面パネルに配線手段を設けてスピーカシステムを構成することで、小型化や薄型化や省スペース化を実現できる構成としたものである。【選択図】図１
2012199859.tif 000002
【特許請求の範囲】
【請求項１】
前面パネルと、背面パネルとにより構成されたエンクロージャと、このエンクロージャに２個以上連ねて配置して取付けられたスピーカと、これらのスピーカを結線するための配線手段とから構成したスピーカシステムであって、前記スピーカシステムは、２個以上のスピーカを直線状に連ねて配置させるとともに、前記背面パネルに配線手段を設けたスピーカシステム。
【請求項２】
配線手段として、背面パネルにプリント配線を設けて構成した請求項１記載のスピーカシステム。
【請求項３】
背面パネルをプリント基板で構成してなる請求項１記載のスピーカシステム。
【請求項４】
側面パネルをさらに設け、この側面パネルと前面パネルとを同じ材料で一体化して構成した請求項１記載のスピーカシステム。
【請求項５】
スピーカは、前面パネルと、背面パネルとで挟み込んでスピーカの固定をしてなる請求項１記載のスピーカシステム。
【請求項６】
スピーカは、前面パネルと、プリント配線を設けた背面パネルとで挟み込んでスピーカの固定と電気接続をしてなる請求項１記載のスピーカシステム。
【請求項７】
スピーカにバネ性を有する端子を設け、スピーカと背面パネルに設けられたプリント配線の電気接続を、スピーカのバネ性を有する端子を加圧してプリント配線に接触接続させてなる請求項６記載のスピーカシステム。
【請求項８】
スピーカと背面パネルとの間にクッションを設けて、このクッションを加圧して前面パネルと、背面パネルとで挟み込んでスピーカの固定をしてなる請求項５記載のスピーカシステム。
【請求項９】
スピーカの外形形状を、長方形、トラック形、楕円形のうちのいずれかの形状とした請求項１記載のスピーカシステム。
【請求項１０】
スピーカを直線状に連ねて配置する方向は、スピーカの長手方向に連ねて配置した請求項９記載のスピーカシステム。
【請求項１１】
スピーカシステムの外形寸法のうちの長手方向である縦方向の外形寸法と短手方向である横方向の外形寸法とのアスペクト比を６以上とした請求項１記載のスピーカシステム。
【請求項１２】
スピーカシステムの外形寸法のうちの長手方向である縦方向の外形寸法と短手方向である横方向の外形寸法とのアスペクト比を１０以上とした請求項１記載のスピーカシステム。
【請求項１３】
セットへの取付手段を両端に設けた請求項１記載のスピーカシステム。
【請求項１４】
スピーカシステムの外形寸法のうちの短手方向である横方向の外形寸法が１５ｍｍ以下で、かつ長手方向である縦方向の外形寸法が５０ｍｍ以上である請求項１記載のスピーカシステム。
【請求項１５】
スピーカシステムの外形寸法のうちの短手方向である横方向の外形寸法が１５ｍｍ以下で、かつ長手方向である縦方向の外形寸法が１５０ｍｍ以上である請求項１記載のスピーカシステム。
【請求項１６】
スピーカシステムの外形寸法のうちの厚み方向の外形寸法が１０ｍｍ以下である請求項１記載のスピーカシステム。
【請求項１７】
スピーカシステムの短手方向である横方向の外形寸法は、スピーカの短手方向である横方向の外形寸法の１．５倍以内である請求項１記載のスピーカシステム。
【請求項１８】
スピーカの外形寸法のうちの短手方向である横方向の外形寸法が１２ｍｍ以下で、かつ長手方向である縦方向の外形寸法が１３ｍｍ以上である請求項１記載のスピーカシステム。
【請求項１９】
スピーカを８個使用して構成した請求項１記載のスピーカシステム。
【請求項２０】
請求項１記載のスピーカシステムを搭載した電子機器。
【請求項２１】
映像表示部を有する請求項２０記載の電子機器。
【請求項２２】
電子機器は、テレビジョン受像機、パーソナルコンピュータ、ゲーム機器、情報通信機器のいずれかである請求項２０記載の電子機器。
【請求項２３】
映像表示部の外周枠体部のうちの左右両横部に、スピーカシステムの長手方向を縦方向に配置して搭載した請求項２０記載の電子機器。
【請求項２４】
映像表示部の外周枠体部のうちの上下部に、スピーカシステムの長手方向を横方向に配置して搭載した請求項２０記載の電子機器。
【請求項２５】
請求項１記載のスピーカシステムを搭載した移動体装置。
【発明の詳細な説明】
【技術分野】
【０００１】
本発明は、各種映像機器や音響機器用等に用いられるスピーカシステムに関するものである。
【背景技術】
【０００２】
近年、映像業界では、テレビジョン受像機（以下、テレビと略称する）において、プラズマテレビや液晶テレビに代表されるように、これらの映像機器の薄型化や省スペース化が要求されてきている。
【０００３】
奥行き寸法が大きかったブラウン管テレビが主流であった過去の時代では、テレビの前面にブラウン管を配置しても、ブラウン管の背面部に大きなスペースを確保することができ、この大きなスペースを活用してスピーカシステムを搭載することが可能であった。
【０００４】
すなわち、ブラウン管テレビに搭載されるスピーカシステムの場合には、テレビ前面部の面積さえ小さくすることができれば、背面方向に進むにつれて窄んだ形状に形成されているブラウン管背面部の奥行き寸法を活用して容積の大きなスピーカシステムを搭載することが可能であった。
【０００５】
従って、前面部の形状がスリムタイプのスピーカシステムでさえあれば、奥行き寸法が大きくとも搭載上、特に問題になることはないものであった。
【０００６】
しかしながら、プラズマテレビや液晶テレビの場合には、その表示モジュール自体の形状が薄いだけでなく、その背面部に余分なスペースを設ける必要がないため、スピーカシステムを搭載する上で、奥行き方向の容積を活用するのが非常に困難になってきている。
【０００７】
これらの要求は、映像を表示するプラズマパネル部や液晶パネル部の面積はできるだけ大きく確保してテレビ等の映像機器としての視認性を高め、それ以外の部分の面積や体積についてはできるだけ小さくして小型化や薄型化や省スペース化を高めることで、その商品価値を向上させていることも一因である。
【０００８】
よって、これらの映像機器に搭載されるスピーカシステムについても、小型化や薄型化の市場要求が避けられないのが現状である。
【０００９】
一方、これらの映像機器に搭載されるスピーカシステムに関しての性能的要求は、入力ソースのデジタル化等の音響信号の高性能化に伴い、これらの音響信号を余すことなく再生できるように、さらなる高性能化に加え、高耐入力化や高品質、高信頼性が要求されてきている。
【００１０】
さらに、プラズマテレビや液晶テレビ等の映像機器のグローバルな価格競争の激化から、低コスト化についても厳しい市場要求がなされている。
【００１１】
以上のような背景から、小型化や薄型化という市場要求と、スピーカシステムの高性能化や高耐入力化、高品質、高信頼性を両立させ、さらにはコスト的要求についても満足させることができるスピーカシステムの開発が急務である。
【００１２】
以下、従来の電子機器である映像機器および、この映像機器に搭載されるスピーカシステムについて図面を用いて説明する。
【００１３】
図７は従来の電子機器である映像機器の外観図、図８はそのスピーカシステムの断面図である。
【００１４】
従来のプラズマテレビや液晶テレビ等の映像機器を中心とするスピーカシステムは、図７に示すように、プラズマパネル部や液晶パネル部の両側面に正面方向を向けてスピーカシステム３７を縦長に配置する構成が多用されていた。
【００１５】
この場合、スピーカシステム３７の内部には、縦長のスピーカシステムの形状に合わせて、縦長のスピーカであるコーン型のスリム形状スピーカ３５が多用されていた。
【００１６】
図８は従来のスピーカシステムの長手方向の断面図であり、前面パネル３１と、背面パネル３２と、側面パネルにより構成されたエンクロージャ３４の前面パネル３１に、内側からコーン型のスリム形状スピーカ３５が取付けられて、そのターミナルにスピーカコードが結線され、このスピーカコードを内部で空中配線により引回して配線し、スピーカシステム３７を構成していた。
【００１７】
このスピーカシステム３７の形状は、プラズマパネル部や液晶パネル部の両側面に正面方向を向けて配置してもプラズマテレビや液晶テレビ等の映像機器が小型化できるように縦長形状に形成され、このスピーカシステム３７の縦長形状に合せられるように、そのスピーカは縦長のスピーカであるコーン型のスリム形状スピーカ３５が使用されていた。
【００１８】
ここで、このコーン型のスリム形状スピーカ３５の縦横の比であるアスペクト比は、おおむね４以下であり、アスペクト比の高いものでも５程度であった。
【００１９】
このコーン型のスリム形状スピーカ３５の構成は、着磁されたマグネット４１を上部プレート４２およびヨーク４３により挟み込んで構成された内磁型の磁気回路４４を縦長のスリム形状フレーム４６の下部と結合し、このスリム形状フレーム４６の周縁部に、コーン型のスリム形状振動板４７を接着し、このコーン型のスリム形状振動板４７にこれを駆動させるためのボイスコイル４８を結合し、ボイスコイル４８をダンパー４９にて中心保持して磁気回路４４の磁気ギャップ４５にはまり込むように結合し、コーン型のスリム形状振動板４7の前面にダストキャップ５０を接着して構成していた。
【００２０】
また、別の縦長形状のスピーカシステムの構成として、スリム形状スピーカを用いず、円形状のスピーカを多数個用いてスピーカシステムを構成しているトーンゾイレタイプのスピーカシステムも存在していた。
【００２１】
さらに、薄型化を図り、同時に高耐入力化を図る目的として、コーン型の振動板ではなく、薄型化された振動板を使用したスピーカを多数個用いてスピーカシステムを構成しているものも存在していた。
【００２２】
尚、この出願の発明に関する先行技術文献情報としては、例えば、特許文献１、特許文献２および特許文献３が知られている。
【先行技術文献】
【特許文献】
【００２３】
【特許文献１】特開平８−２２３６７８号公報
【特許文献２】特開平８−２５１６８６号公報
【特許文献３】特開２００５−７９８０９号公報
【発明の概要】
【発明が解決しようとする課題】
【００２４】
しかしながら、従来のスピーカシステムでは、ある程度の市場要求である小型化や薄型化や省スペース化を実現させることができる構成となっているが、商品価値の向上のために、さらなる小型化や薄型化や省スペース化を要求されると従来のスピーカシステムでは既に限界に達している。
【００２５】
この原因について以下説明する。
【００２６】
スピーカシステムを省スペース化のために縦長の形状に形成して、この形状に合わせてスピーカの形状を縦長のコーン型のスリム形状としているが、このスピーカは、そのスリム形状のコーン型振動板の中心をボイスコイルにより駆動している。
【００２７】
ところが、表示モジュールのサイズとして、高インチサイズのテレビが主流になりつつある昨今では、視聴者の視聴位置がテレビから遠く離れて視聴される場合が多く、この場合でも、視聴者に十分な音量を確保することが必要となる。
【００２８】
従って、表示モジュールのサイズが大きくなればなるほどスピーカシステムとしては、視聴者に十分な音量を確保するため広いサービスエリアが必要となり、大きな音圧を確保するために、スピーカシステムに大きな入力が必要となる。
【００２９】
このように市場要求として、ある程度の大きな耐入力要求があるために、振動板の強度を確保する必要があり、よって、振動板の強度を確保するために、振動板はある程度大きな全高寸法が必要となる。
【００３０】
この理由としては、縦長のスリム形状のコーン型振動板の中心部のみをボイスコイルにより駆動しているためであり、振動板の座屈強度を向上させ、加えて振動板の縦長方向の両端部の振動板の振幅における位相もボイスコイルと同位相にして歪の発生を防止し、安定した音圧周波数特性を確保するためである。
【００３１】
以上のように、振動板の強度を確保するために、振動板の全高寸法を低くすることができないという制約条件が存在し、これにより市場要求であるスピーカシステムの薄型化の要求が満足できないという課題を有するものであった。
【００３２】
また、従来のスピーカシステムにおいて、市場要求である薄型化の要求が満足できないまでも、振動板の全高寸法を低くするように試みると、振動板の強度不足により、振幅における振動板の縦長方向の両端部の位相とボイスコイルの位相とが同位相にならず歪の発生や音圧周波数特性の劣化、さらには振動板の座屈発生という品質的な危険性を誘発するものであった。
【００３３】
本発明は上記課題を解決するもので、小型化や薄型化や省スペース化という市場要求を実現したスピーカシステムでありながら、高耐入力化、高品質、高信頼性を両立させ、さらにはコスト的要求についても満足できるスピーカシステムを提供することを目的とするものである。
【課題を解決するための手段】
【００３４】
上記課題を解決するために本発明のスピーカシステムは、前面パネルと、背面パネルとにより構成されたエンクロージャと、このエンクロージャに２個以上連ねて配置して取付けられたスピーカと、これらのスピーカを結線するための配線手段とから構成し、２個以上のスピーカを直線状に連ねて配置させるとともに、背面パネルに配線手段を設けてスピーカシステムを構成したものである。
【００３５】
このような構成とすることで、小型のスピーカを直線状に連ねて配置させることで、スリム形状で、小型化や薄型化を実現したスピーカシステムとすることができる。
【００３６】
そして、背面パネルに配線手段を設けて構成することで、スピーカシステム内部での空中配線をなくし、ビリツキ等の異常音発生を防止することができ、さらに配線を容易で、かつ確実に実施することができるため、高耐入力化、高品質、高信頼性と低価格を実現することができる。
【００３７】
さらには、量産効果により価格が安価な小型スピーカを多数個使用することで、コスト的要求についても満足できるスピーカシステムを提供することができる。
【発明の効果】
【００３８】
以上の構成とすることで本発明のスピーカシステムは、コンパクト化のための市場要求であるスリム形状で、小型化や薄型化を実現したスピーカシステムでありながら、高性能化のための市場要求である高耐入力化、高品質、高信頼性を両立させ、さらにはコスト的要求についても満足できるスピーカシステムを提供することができるという大きな効果を奏するものである。
【図面の簡単な説明】
【００３９】
【図１】本発明のスピーカシステムを前面方向から見た斜視図
【図２】本発明のスピーカシステムを背面方向から見た斜視図
【図３】本発明のスピーカシステムの仕掛品を背面方向から見た斜視図
【図４】本発明のスピーカシステムの要部拡大断面図
【図５】本発明の電子機器の外観図
【図６】本発明の移動体装置の断面図
【図７】従来の電子機器の外観図
【図８】従来のスピーカシステムの断面図
【発明を実施するための形態】
【００４０】
以下、本発明の実施の形態について図面を用いて説明する。
【００４１】
（実施の形態１）
以下、実施の形態１を用いて、本発明について説明する。
【００４２】
本発明は、映像機器であるプラズマテレビや液晶テレビの表示モジュールの両側面に長手方向を縦長方向に配置させるスピーカシステムであり、そのエンクロージャに取付けるスピーカの数量として、８個連ねて配置した場合について説明する。
【００４３】
図１は本発明のスピーカシステムを前面方向から見た斜視図であり、図２は本発明のスピーカシステムを背面方向から見た斜視図であり、さらに図３は本発明のスピーカシステムの仕掛品を背面方向から見た斜視図であり、背面パネルを結合する前の状態を示すものである。
【００４４】
さらに、図４は本発明のスピーカシステムの要部拡大断面図を示すものであり、図５は本発明のスピーカシステムを、最近の薄型の映像機器であるプラズマテレビや液晶テレビの表示モジュールの両側面に長手方向を縦長方向に配置させて搭載した外観図である。
【００４５】
図１から図５に示すように、スピーカシステム７は、前面パネル１と、背面パネル２とにより構成されたエンクロージャ４と、このエンクロージャ４に８個連ねて配置して取付けられたスピーカ５により構成している。
【００４６】
そして、そのエンクロージャ４の内部には、これらのスピーカ５を結線するための配線手段６を設けて構成している。
【００４７】
ここで、このスピーカシステム７は、８個のスピーカ５を直線状に連ねて配置させて構成し、背面パネルには、配線手段６として、プリント配線を設けて構成している。
【００４８】
このような構成とすることで、小型のスピーカ５を直線状に連ねて配置させることで、小型化や薄型化を実現したスピーカシステム７を実現することができる。
【００４９】
そして、背面パネル２に配線手段６を設けて構成することで、スピーカシステム７内部での空中配線をなくし、ビリツキ等の異常音発生を防止することができ、さらに配線を容易で、かつ確実に実施することができるため、高耐入力化、高品質、高信頼性と低価格を実現することができる。
【００５０】
特に、プリント配線にて構成することで、ごく僅かな厚みで配線することができ、従来のスピーカコードが存在する空中配線に比べて、スピーカコードの存在をなくすことができ、このスピーカコード分の薄型化を図ることができる。
【００５１】
さらには、量産効果により価格が安価な小型スピーカ５を多数個使用することで、コスト的要求についても満足できるスピーカシステムを提供することができる。
【００５２】
そして、このスピーカシステムにて再生できる周波数帯域は、主に中高域であり、低域が必要な場合は、別途低域再生専用のスピーカシステムを設け、映像機器であるプラズマテレビや液晶テレビに内蔵することで全周波数帯域を十分に再生することが可能となる。
【００５３】
低域再生専用のスピーカシステムは、低域の広い指向性を利用することで、中高域再生専用のスピーカシステムのように映像機器の前面部に設ける必要はなく、映像機器の内部の空きスペースを有効に活用して搭載することで、その効果を十分に発揮させることができ、特に映像機器の小型化を妨げることもない。
【００５４】
もちろん、低インチサイズの映像機器等では、低域再生専用のスピーカシステムを特に設けずに使用することも可能である。
【００５５】
ここで、以下その詳細について説明する。
【００５６】
エンクロージャ４に取付けるスピーカ５については、通常携帯電話等に使用される小型のマイクロスピーカと呼ばれる種類のスピーカを使用している。
【００５７】
このマイクロスピーカと呼ばれる種類のスピーカ５は、携帯電話用として、専用の自動化量産設備により数多く生産されているため、その量産効果により１個あたりの価格が、従来の映像用のスピーカに比べて非常に安価であり、多数個使用してもスピーカシステムの価格を抑制することができる。
【００５８】
次に、このマイクロスピーカであるスピーカ５の構成について説明する。
【００５９】
図４に示すように、着磁されたマグネット２１を上部プレート２２およびヨーク２３により挟み込んで構成された磁気回路２４と樹脂からなるフレーム２６を結合し、このフレーム２６の周縁部に、平面状の振動板２７を接着し、この平面状の振動板２７にこれを駆動させるためのボイスコイル２８を、平面状の振動板２７の外周部近傍に結合し、ボイスコイル２８を磁気回路２４の磁気ギャップ２５にはまり込むように結合して構成している。
【００６０】
このマイクロスピーカであるスピーカ５の構成は、従来の映像用のスピーカと比べて、ダンパーが存在しない分全高寸法を小さくすることができ、加えて振動板についてもコーン状ではなく平面状の振動板としていることから、さらに全高寸法を小さくすることができる。
【００６１】
このマイクロスピーカであるスピーカ５は、従来の映像用のスピーカと比べて、形状が小さいことと全高寸法が小さいことから、耐入力的には小さい耐入力しか実現することができないという理由から多数個の使用とすることにより、必要な耐入力を実現している。
【００６２】
また、ボイスコイル２８の寸法もできるだけ大きく設定して、振動板２７の外周部近傍に結合することで、ボイスコイル２８の放熱性を良好にすることにより、必要な耐入力を実現している。
【００６３】
そして、振動板２７の外周部近傍にボイスコイル２８を結合することで、振動板２７の縦長方向の両端部の振幅における位相を、ボイスコイル２８と同位相にすることができるため、歪の発生を防止し、安定した音圧周波数特性を実現することができる。
【００６４】
さらに、振動板２７をフレーム２６の周縁部に支持するためのエッジを、振動板２７と異なる柔軟性に富む材料にて振動板２７をインサートして一体成形していることから、高耐入力化と低域を拡大させる方向に広帯域再生化を実現させることができる。
【００６５】
ここでは、エンクロージャに取付けるスピーカの数量として、８個連ねて配置した場合について説明したが、これに限定されることなく、２個、４個、６個、１０個、１２個、１６個、２０個、３０個というように自由に設定することが可能である。
【００６６】
直線状に連ねて配置させて構成し、配線する最小単位の数量として、最低限２個あればよい。
【００６７】
このエンクロージャに取付けるスピーカの数量としては、搭載されるテレビの許容寸法や、スピーカシステムに要求される耐入力や、必要な音量を満足させるための音圧レベルを確保できる数量を加味して設定すればよい。
【００６８】
スピーカを直線状に連ねて配置させて構成することで、スピーカシステムとしてテレビのプラズマや液晶の表示モジュールの両側面に搭載しやすい寸法を実現することができる。
【００６９】
ここで、スピーカの外形形状については、長方形の形状のスピーカとしているが、丸形や正方形であってもよい。
【００７０】
表示モジュールの両側面に容易に搭載できる寸法を実現しやすいスピーカの外形形状としては、長方形以外にトラック形、楕円形の形状があり、これらの外形形状のスピーカをスピーカの長手方向に連ねて配置することで、よりスリム化を実現することができスペースファクターの向上とスピーカシステムの省スペース化を図ることができる。
【００７１】
このスピーカシステムに使用される小型のマイクロスピーカについても、現在は携帯電話等の情報通信端末の小型化やコンパクト化に伴い、従来の円形や正方形の形状から、長方形やトラック形や楕円形の形状が主流になりつつあるため、これらの形状のマイクロスピーカの価格面についてもその量産効果により安価に入手が可能である。
【００７２】
以上、スピーカシステムに使用されるスピーカの種類として、動電型である小型のマイクロスピーカを使用した場合について説明したが、これに限定されることなく、圧電型や静電型等、小型かつ薄型であればどのような種類のスピーカであっても良く、同様の効果を得ることができる。
【００７３】
次に、エンクロージャ４の構成について説明する。
【００７４】
エンクロージャ４は、前面パネル１と、背面パネル２とにより構成され、前面パネル１にスピーカ用の孔が設けられている。
【００７５】
これらの小型のマイクロスピーカは、従来の映像用スピーカのように、スピーカ１個ずつに、それぞれ４箇所程度の取付孔を設けて、ビス止めによりスピーカシステムに取付けているものではない。
【００７６】
これらの小型のマイクロスピーカは、通常その取付方法として、スピーカ５を前面パネル１に当接して背面側から圧力を加えて加圧することで押え付けて取付けている。
【００７７】
このため、前面パネル１に対するスピーカ５の位置決めが重要であり、本発明では前面パネル１を側面まで延長させて側面パネル３を構成し、この前面パネル１と側面パネル３とを同じ材料で一体化して構成して、側面パネル３をスピーカ５のガイドとして使用することで生産効率を向上させている。
【００７８】
すなわち、図３に示すように、スピーカ５のフレームの短径方向の外形寸法と、２枚の側面パネル３の内径寸法とをほぼ同じ寸法に設定して嵌合させることで、がたつきなく高精度な位置決めを実現している。
【００７９】
この構成とすることにより、前面パネル１と２枚の側面パネル３とを同時に同じ材料で一体化して射出成形により構成することで、前面パネル１と２枚の側面パネル３とを瞬時に精度高く組立てることができ、エンクロージャ４の生産効率の向上と価格の低減を実現することができる。
【００８０】
そして、この前面パネル１と２枚の側面パネル３との組立品にスピーカ５を８個位置決めをするときにも、ガイドの効果により効率良く位置決めをすることができ、スピーカ５を取付ける時にも生産効率の向上と価格の低減を実現することができる。
【００８１】
また、前面パネル１と２枚の側面パネル３とが一体化されているため、前面パネル１と２枚の側面パネル３との間でのビリツキの発生や、空気漏れ、さらには外れ等の品質不良も発生することがなく、強度が高く安定した品質と信頼性を実現することができる。
【００８２】
そして、前面パネル１と２枚の側面パネル３との組立品にスピーカ５を８個位置決めしたあとに、８個のスピーカ５を結線するための配線手段６を設けてスピーカシステム７を構成している。
【００８３】
ここで、背面パネル２には、配線手段６としてプリント配線を設けて構成している。
【００８４】
もちろん、背面パネル２にはプリント配線とせずに、スピーカコードであるリード線にて各々のスピーカ５を結線してもよいが、この場合、リード線の引回しのためのスペースと結線のための時間が必要であり、薄型化と生産性の観点からプリント配線としたほうが有利である。
【００８５】
さらに、この背面パネル２をプリント配線基板いわゆるプリント基板で構成すれば、スピーカの配線パターンを印刷したプリント基板は簡単に生産、入手できるため、背面パネルを別途準備する必要もなく背面パネルを削減することができ、尚一層、生産性の向上と低価格化を実現することができる。
【００８６】
そして、スピーカ５を、前面パネル１と、プリント配線を設けた背面パネル２とで挟み込んでスピーカ５を固定して構成させることで、一層の生産性の向上と低価格化を実現することができる。
【００８７】
従来のスピーカシステムと比較すると、スピーカ取付け用のビスを数点削減することができ、さらにビス締めによる生産工数も削減することができるため、大きな価格低下を実現することができる。
【００８８】
さらに、スピーカ５を、前面パネル１と、プリント配線を設けた背面パネル２とで挟み込んでスピーカ５の固定と同時にスピーカ５の背面の端子との電気接続をして構成させることで、より一層の生産性の向上と低価格化を実現することができる。
【００８９】
さらに、スピーカ５にバネ性を有する端子を設け、スピーカ５と背面パネル１に設けられたプリント配線の電気接続を、スピーカ５のバネ性を有する端子を加圧してプリント配線に接触接続させてスピーカ５の固定と同時に電気接続をして構成させることで、より安定した電気接続を実現することができる。
【００９０】
この場合、スピーカ５と背面パネル２との間にクッションを設けて、このクッションを加圧して前面パネル１と、背面パネル２とで挟み込んでスピーカ５の固定を実施させることで、スピーカ５を前面パネル１に偏ることなく均一に密着させることができ、スピーカ５と前面パネル１との間の空気漏れやビリツキを防止して、より安定した固定を実現することができる。
【００９１】
このように、バネ性を有する端子やクッションを設け、加圧して前面パネル１と、背面パネル２とで挟み込んでスピーカ５の固定を実施することで、安定した電気接続と安定したスピーカの固定のみならず、常時加圧されている効果による前面パネル１や背面パネル２等の構成部品の不要共振の防止等、音響的にも安定したスピーカシステムを実現することができる。
【００９２】
そして、前面パネル１と、背面パネル２との結合手段については、スリムなスピーカシステムの形状から、両端部の２箇所のビス止めのみで安定した固定を実現することができる。
【００９３】
また、生産性の向上を目的として、中央部の１箇所とすることもでき、一方、特に安定性を強化したい場合には、両端部と中央部の合計３箇所としても良い。
【００９４】
さらなる生産性の向上を目的として、ビス止めをなくし、ロック機構を設けて圧入方式とすることにより、ビスの削減と生産性を向上させることができる。
【００９５】
次に、スピーカおよびスピーカシステムの外形や寸法について説明する。
【００９６】
スピーカシステムの外形形状については、映像機器であるプラズマテレビや液晶テレビの表示モジュールの両側面に配置させることを前提に考えれば、細長い長方形の形状とすることが望ましい。
【００９７】
そして、現在汎用的に携帯電話等に使用される小型のマイクロスピーカと呼ばれる種類のスピーカは、外形が長方形の形状である場合には、横寸法が約９ｍｍで、縦寸法が約１６ｍｍで、厚み方向すなわち全高寸法が約３ｍｍ程度のマイクロスピーカが主流である。
【００９８】
このように、スピーカの外形寸法のうちの短手方向である横方向の外形寸法が１２ｍｍ以下で、かつ長手方向である縦方向の外形寸法が１３ｍｍ以上であれば、スピーカを多数個連ねて細長い長方形形状のスピーカシステムを構成するのに都合が良い。
【００９９】
この汎用的なマイクロスピーカを使用して、スピーカシステムを構成すると、スピーカを８個使用して長手方向に直線状に連ねて配置させた場合は、スピーカシステムの外形寸法のうちの短手方向である横方向の外形寸法が約１２ｍｍとなり、１５ｍｍ以下にすることができる。
【０１００】
これは、スピーカシステムの短手方向である横方向の外形寸法は、スピーカの短手方向である横方向の外形寸法の１．２５倍となり、１．５倍以内にすることができる。
【０１０１】
そして、長手方向である縦方向の外形寸法がセットへの取付手段を含めると、約１８０ｍｍとなり、１５０ｍｍ以上のスピーカシステムとなる。
【０１０２】
ここで、セットへの取付手段は、スピーカシステムの長手方向の両端に設けられ、孔や切欠きとしている。
【０１０３】
一方、スピーカシステムの外形寸法のうちの厚み方向の外形寸法、すなわち全高寸法については、背面パネルを含めても約６ｍｍとすることができ、１０ｍｍ以下にすることができる。
【０１０４】
以上の構成とすることで、スピーカシステムの外形寸法のうちの長手方向である縦方向の外形寸法と短手方向である横方向の外形寸法とのアスペクト比を１０以上とすることができ、従来にない高アスペクト比で薄型化を可能とするスピーカシステムを実現することができる。
【０１０５】
そして、以上のように小型マイクロスピーカを８個使用して、長手方向に直線状に連ねて配置させたスピーカシステムは、低インチサイズから高インチサイズまでのほぼ全てのプラズマテレビや液晶テレビ等の映像機器に広く搭載することが可能であり、スピーカシステムの外形寸法として、その搭載面や物流面、作業性等において最適な寸法とすることができる。
【０１０６】
そして、このスピーカシステムを搭載したプラズマテレビや液晶テレビ等の映像機器は、そのスピーカシステムの薄型化から、従来にない薄型化や小型化や省スペース化を実現することができる。
【０１０７】
また、このスピーカシステムは、小型スピーカが多数連なって構成されていることから、音質的にも中高域の明瞭度が高く、歪の少ない音質を実現することができる。
【０１０８】
さらに、別途低域再生専用のスピーカシステムを映像機器に内蔵すれば、低域についても良好に再生することが可能となる。
【０１０９】
そして、背面パネルにプリント配線等の配線手段を設けて構成することで、スピーカシステム内部での空中配線をなくし、ビリツキ等の異常音発生を防止することができ、さらに配線を容易で、かつ確実に実施することができるため、高耐入力化、高品質、高信頼性を安価に実現することができる。
【０１１０】
さらには、量産効果により価格が安価な小型マイクロスピーカを多数個使用することで、コスト的要求についても満足できるスピーカシステムを提供することができる。
【０１１１】
そして、高インチサイズの映像機器については、当スピーカシステムを左右に一対の使用のみならず、これを最小単位として、縦方向に多数個配置して、要求される耐入力や音圧レベルの調整を図る搭載方法としても良い。
【０１１２】
以上、映像機器であるプラズマテレビや液晶テレビの表示モジュールの両側面に配置させることを前提に、細長い長方形形状のスピーカシステムとして説明したが、以下に示す前記以外の使用方法としても良い。
【０１１３】
以下は、前記の映像機器であるプラズマテレビや液晶テレビよりも小型のパーソナルコンピュータやゲーム機器や情報通信機器等に搭載することを前提にした場合に、前記の８個使いが寸法的に大きくなり搭載しにくい場合の対応である。
【０１１４】
スピーカを２個または３個使用して長手方向に直線状に連ねて配置させた場合は、スピーカシステムの外形寸法のうちの短手方向である横方向の外形寸法が約１２ｍｍとなり、１５ｍｍ以下にすることができる。
【０１１５】
そして、長手方向である縦方向の外形寸法がセットへの取付手段を含めると、約７５ｍｍとなり、５０ｍｍ以上のスピーカシステムとなる。
【０１１６】
以上の構成とすることで、スピーカシステムの外形寸法のうちの長手方向である縦方向の外形寸法と短手方向である横方向の外形寸法とのアスペクト比を６以上とすることができ、小型で、かつ高アスペクト比で薄型化を可能とするスピーカシステムを実現することができる。
【０１１７】
そして、以上のように小型マイクロスピーカを２個または３個使用して、長手方向に直線状に連ねて配置させたスピーカシステムは、小型のパーソナルコンピュータやゲーム機器や情報通信機器等に搭載することが可能であり、スピーカシステムの外形寸法として、その搭載面や物流面、作業性等において最適な寸法とすることができる。
【０１１８】
そして、このスピーカシステムを搭載した小型のパーソナルコンピュータやゲーム機器や情報通信機器等は、そのスピーカシステムの薄型化から、従来にない薄型化や小型化や省スペース化を実現することができる。
【０１１９】
さらに、これらの小型の電子機器については、スピーカシステムの搭載角度を表示モジュールと同方向にして搭載することのみならず、外方向すなわち背面方向に向けて角度を付けて搭載したり、表示モジュールと直角方向にして搭載しても良い。
【０１２０】
このような構成とすることにより、正面方向から見た小型の電子機器の外形寸法をさらに小さくすることができるとともに、小型の電子機器特有の欠点である音の広がりを改善し、ステレオ感を十分に発揮させることが可能となる。
【０１２１】
以上のように、テレビジョン受像機、パーソナルコンピュータ、ゲーム機器、情報通信機器等の映像表示部を有する電子機器に、本発明のスピーカシステムを、映像表示部の外周枠体部のうちの左右両横部に、スピーカシステムの長手方向を縦方向に配置して搭載することで、コンパクト化のための市場要求である小型化や薄型化を実現させることができる。
【０１２２】
また、特に高インチサイズの映像表示部の外周枠体部のうちの上下部に、スピーカシステムの長手方向を横方向に配置して搭載しても良く、この場合、左右に上下それぞれ一対ずつの搭載とすることで、ステレオ再生が可能となる。
【０１２３】
もっとも、映像表示部の外周枠体部のうちの上下どちらか一方に一対のみの搭載としても良い。
【０１２４】
また、必要であれば、映像表示部の外周枠体部のうちの左右両横部と上下部の両方に搭載しても良く、このような構成とすることにより、高耐入力化と高音圧レベル化を実現することができる。
【０１２５】
そして、背面パネルに配線手段を設けて構成することで、スピーカシステム内部での空中配線をなくし、ビリツキ等の異常音発生を防止することができ、さらに配線を容易で、かつ確実に実施することができるため、高耐入力化、高品質、高信頼性と低価格を実現することができる。
【０１２６】
さらには、量産効果により価格が安価な小型スピーカを多数個使用することで、コスト的要求についても満足できるスピーカシステムを提供することができる。
【０１２７】
以上の構成とすることで本発明のスピーカシステムは、コンパクト化のための市場要求である小型化や薄型化を実現したスピーカシステムでありながら、高性能化のための市場要求である高耐入力化、高品質、高信頼性を両立させ、さらにはコスト的要求についても満足できるスピーカシステムを提供することができるという大きな効果を奏するものである。
【０１２８】
（実施の形態２）
以下、実施の形態２を用いて、本発明について説明する。
【０１２９】
図６は、本発明の一実施の形態における移動体装置である自動車６０の断面図を示したものであり、本発明のスピーカシステム７を自動車６０の天井やインパネやサンバイザーやシートやリアトレイ等に組込んで、カーオーディオやカーナビゲーションの一部として使用して自動車６０を構成したものである。
【０１３０】
本発明のスピーカシステムを搭載する位置については、上記以外にヘッドレスト、アームレスト、コックピット、ミラー、メータ、ステアリング、ピラー、ドア等、その小型化や薄型化の特長を活かせる位置や部位であればどの位置や部位であっても良い。
【０１３１】
この構成とすることにより、小型化や薄型化やコンパクト化されたスピーカシステムの効果により、このスピーカシステムを搭載した自動車等の移動体装置の小型化や軽量化を実現することができる。
【０１３２】
また、音質的にも中高域の明瞭度が高く、歪の少ない音質を実現することができ、別途低域再生専用のスピーカシステムを設ければ、低域についても良好に再生することが可能となる。
【０１３３】
さらに、背面パネルに配線手段を設けて構成することで、スピーカシステム内部での空中配線をなくし、配線を容易にし、ビリツキ等の異常音発生を防止し、高耐入力化、高品質、高信頼性と低価格を実現することができる効果により、このスピーカシステムを搭載した自動車等の移動体装置の高品質、高信頼性と低価格を実現することができる。
【０１３４】
特に、自動車等の移動体装置に搭載する場合の利点としては、従来品の空中配線の問題点であった、移動体装置の移動時の振動により発生する空中配線とスピーカシステムのエンクロージャ内壁との接触によるビリツキ等の異常音をなくすことができるという大きな効果を発揮できる。
【０１３５】
よって、自動車等の移動体装置の燃費の向上と音質の良好化と、低価格化、高品質、高信頼性を実現することができるという大きな効果を奏するものである。
【０１３６】
以上、移動体装置についての一例として自動車に本発明のスピーカシステムを搭載した場合について説明したが、これに限定されることなく、自転車やオートバイ、バス、電車、船舶、飛行機等の移動体装置であればどのような装置であっても搭載が可能である。
【０１３７】
そして、このスピーカシステムを搭載した移動体装置の燃費の向上と音質の良好化と、低価格化、高品質、高信頼性を実現することができるという大きな効果を奏するものである。
【産業上の利用可能性】
【０１３８】
本発明にかかるスピーカシステムは、小型化や薄型化が必要とされるスピーカシステムに適用できる。
【符号の説明】
【０１３９】
１  前面パネル
２  背面パネル
３  側面パネル
４  エンクロージャ
５  スピーカ
６  配線手段
７  スピーカシステム
２１  マグネット
２２  上部プレート
２３  ヨーク
２４  磁気回路
２５  磁気ギャップ
２６  フレーム
２７  振動板
２８  ボイスコイル
３１  前面パネル
３２  背面パネル
３４  エンクロージャ
３５  スピーカ
３７  スピーカシステム
４１  マグネット
４２  上部プレート
４３  ヨーク
４４  磁気回路
４５  磁気ギャップ
４６  フレーム
４７  振動板
４８  ボイスコイル
４９  ダンパー
５０  ダストキャップ
６０  自動車
【図１】
2012199859.tif 000003
【図２】
2012199859.tif 000004
【図３】
2012199859.tif 000005
【図４】
2012199859.tif 000006
【図５】
2012199859.tif 000007
【図６】
2012199859.tif 000008
【図７】
2012199859.tif 000009
【図８】
2012199859.tif 000010